(57)【要約】【課題】アドレス放電電圧を低くし、電極間の静電容量を減少させて消費電力を低減させるプラズマディスプレイパネルを提供する。【解決手段】互いに対向配置される第１基板および第２基板と、第１基板に配置されて放電セルを画する隔壁と、放電セルの内側に形成される蛍光体層と、隔壁と第２基盤との間に備えられる第３基板と、第２基板と第３基板との間に備えられるスペーサと、第３基板において、第１方向に沿って形成され、放電セルに対応するアドレス電極と、第２基板において、第１方向と交差する第２方向に沿って形成され、放電セルに対応する第１電極および第２電極とを有するプラズマディスプレイパネルが提供される。【選択図】図３
2007134326.tif 000002
【特許請求の範囲】
【請求項１】
互いに対向配置される第１基板および第２基板と；
前記第１基板に配置されて放電セルを画する隔壁と；
前記放電セルの内側に形成される蛍光体層と；
前記隔壁と前記第２基盤との間に備えられる第３基板と；
前記第２基板と前記第３基板との間に備えられるスペーサと；
前記第３基板において、第１方向に沿って形成され、前記放電セルに対応するアドレス電極と；
前記第２基板において、前記第１方向と交差する第２方向に沿って形成され、前記放電セルに対応する第１電極および第２電極と；
を有することを特徴とする、プラズマディスプレイパネル。
【請求項２】
前記スペーサは、前記第１方向に隣接する前記放電セルの境界位置に対応して、前記第２方向に沿って配置されることを特徴とする、請求項１に記載のプラズマディスプレイパネル。
【請求項３】
前記スペーサが備えられる、前記第１基板と前記第２基板との間の空間は、真空状態であることを特徴とする、請求項１に記載のプラズマディスプレイパネル。
【請求項４】
前記スペーサが備えられる、前記第１基板と前記第２基板との間の空間は、流体で満たされることを特徴とする、請求項１に記載のプラズマディスプレイパネル。
【請求項５】
前記流体は不活性ガスであることを特徴とする、請求項４に記載のプラズマディスプレイパネル。
【請求項６】
前記流体は液状の物質であることを特徴とする、請求項４に記載のプラズマディスプレイパネル。
【請求項７】
前記スペーサはガラスビードからなることを特徴とする、請求項１に記載のプラズマディスプレイパネル。
【請求項８】
前記スペーサは前記第３基板をエッチングして形成されることを特徴とする、請求項１に記載のプラズマディスプレイパネル。
【請求項９】
前記第３基板は透明なガラスで形成されることを特徴とする、請求項１に記載のプラズマディスプレイパネル。
【請求項１０】
前記アドレス電極は、前記第１基板に対向する前記第３基板の一面に形成されることを特徴とする、請求項１に記載のプラズマディスプレイパネル。
【請求項１１】
前記アドレス電極は、
前記第２方向に隣接する前記放電セルの境界位置に対応して、前記第１方向に伸長形成される伸長部と；
前記伸長部から前記第２方向に沿って前記放電セルの中心に突出形成される突出部と；
を有することを特徴とする、請求項１０に記載のプラズマディスプレイパネル。
【請求項１２】
前記伸長部は金属からなり、
前記突出部は透明なＩＴＯからなることを特徴とする、請求項１１に記載のプラズマディスプレイパネル。
【請求項１３】
前記アドレス電極は誘電体層で覆われることを特徴とする、請求項１０に記載のプラズマディスプレイパネル。
【請求項１４】
前記誘電体層は保護膜で覆われることを特徴とする、請求項１３に記載のプラズマディスプレイパネル。
【請求項１５】
前記第１電極および前記第２電極それぞれは、
前記放電セルに対応して前記第２基板に形成される透明電極と；
前記透明電極を前記第２方向に連結するバス電極と；
を含むことを特徴とする、請求項１に記載のプラズマディスプレイパネル。
【請求項１６】
前記隔壁は、前記第１基板において前記第１方向に伸長形成される第１隔壁部材を含むことを特徴とする、請求項１に記載のプラズマディスプレイパネル。
【請求項１７】
前記隔壁は、前記第１隔壁部材の間において前記第２方向に伸長形成される第２隔壁部材を含むことを特徴とする、請求項１６に記載のプラズマディスプレイパネル。
【発明の詳細な説明】
【技術分野】
【０００１】
本発明はプラズマディスプレイパネルに係り、より詳しくは、アドレス電極、維持電極、および走査電極を放電セルの一側に備えて消費電力を低減させるプラズマディスプレイパネルに関するものである。
【背景技術】
【０００２】
一般的に、プラズマディスプレイパネルはガス放電現象を利用して画像を表示するものであって、表示容量、輝度、コントラスト、残像、視野角などの優れた表示能力を有している。
【０００３】
このプラズマディスプレイパネルは隔壁を隔てて、維持電極および走査電極を備えた前面基板と、アドレス電極を備えた背面基板を互いに封着することにより、この隔壁による放電セルを区画形成し、この放電セル内に不活性ガス（一例として、ネオン（Ｎｅ）とキセノン（Ｘｅ）の混合ガス）を充填して形成される。
【０００４】
このプラズマディスプレイパネルは、アドレス電極にアドレス電圧を印加し、走査電極にスキャンパルスを印加すると、二つの電極の間で壁電荷を形成しながらアドレス放電を起こして、点灯される放電セルを選択し、この状態で維持電極と走査電極に維持パルスを印加すると、維持電極と走査電極に形成された電子とイオンが維持電極と走査電極との間で移動しながら、アドレス放電時に形成された上記壁電荷による壁電圧に加えて、放電開始電圧を超えるようになって、選択された放電セル内で維持放電を起こす。
【０００５】
この維持放電によって放電セル内で発生される真空紫外線は、放電セル内に形成されている蛍光体を励起させる。この蛍光体は、励起状態で安定化しながら可視光を発生させて、プラズマディスプレイパネルに画像を実現する。
【０００６】
しかし、このプラズマディスプレイパネルは、背面基板にアドレス電極を備え、前面基板に維持電極と走査電極を備えるので、アドレス電極と走査電極との間の距離が長くなるため、アドレス放電電圧を上昇させる短所を有する。
【０００７】
このアドレス放電電圧を低くするために、前面基板に、維持電極と走査電極およびアドレス電極を備えたプラズマディスプレイパネルが設けられる。
【０００８】
しかし、このプラズマディスプレイパネルは、維持電極と走査電極を誘電体層で覆い、この誘電体層にアドレス電極を形成しているため、誘電体層の高い誘電率により、維持電極と走査電極およびアドレス電極の間で静電容量が増大し、消費電力を増大させるという短所を有する。
【発明の開示】
【発明が解決しようとする課題】
【０００９】
本発明は上記のような問題点を解決するために発明されたものであって、その目的は、アドレス放電電圧を低くするプラズマディスプレイパネルを提供することにある。
【００１０】
また、本発明の他の目的は、電極間の静電容量を減少させて消費電力を低減させるプラズマディスプレイパネルを提供することにある。
【課題を解決するための手段】
【００１１】
上記目的を達成するために、本発明のある観点によれば、互いに対向配置される第１基板および第２基板と、上記第１基板に配置されて放電セルを画する隔壁と、上記放電セルの内側に形成される蛍光体層と、上記隔壁と上記第２基盤との間に備えられる第３基板と、上記第２基板と上記第３基板との間に備えられるスペーサと、上記第３基板において、第１方向に沿って形成され、上記放電セルに対応するアドレス電極と、上記第２基板において、上記第１方向と交差する第２方向に沿って形成され、上記放電セルに対応する第１電極および第２電極とを有するプラズマディスプレイパネルが提供される。
【００１２】
また、上記スペーサは、上記第１方向に隣接する上記放電セルの境界位置に対応して、上記第２方向に沿って配置されるとしてもよい。
【００１３】
また、上記スペーサが備えられる、上記第１基板と上記第２基板との間の空間は、真空状態であるとしてもよい。
【００１４】
また、上記スペーサが備えられる、上記第１基板と上記第２基板との間の空間は、流体で満たされるとしてもよい。
【００１５】
また、上記流体は不活性ガスであるとしてもよい。
【００１６】
また、上記流体は液状の物質であるとしてもよい。
【００１７】
また、上記スペーサはガラスビードからなるとしてもよい。
【００１８】
また、上記スペーサは上記第３基板をエッチングして形成されるとしてもよい。
【００１９】
また、上記第３基板は透明なガラスで形成されるとしてもよい。
【００２０】
また、上記アドレス電極は、上記第１基板に対向する上記第３基板の一面に形成されるとしてもよい。
【００２１】
また、上記アドレス電極は、上記第２方向に隣接する上記放電セルの境界位置に対応して、上記第１方向に伸長形成される伸長部と、上記伸長部から上記第２方向に沿って上記放電セルの中心に突出形成される突出部とを有するとしてもよい。
【００２２】
また、上記伸長部は金属からなり、上記突出部は透明なＩＴＯからなるとしてもよい。
【００２３】
また、上記アドレス電極は誘電体層で覆われるとしてもよい。
【００２４】
また、上記誘電体層は保護膜で覆われるとしてもよい。
【００２５】
また、上記第１電極および上記第２電極それぞれは、上記放電セルに対応して上記第２基板に形成される透明電極と、上記透明電極を上記第２方向に連結するバス電極とを含むとしてもよい。
【００２６】
また、上記隔壁は、上記第１基板において上記第１方向に伸長形成される第１隔壁部材を含むとしてもよい。
【００２７】
また、上記隔壁は、上記第１隔壁部材の間において上記第２方向に伸長形成される第２隔壁部材を含むとしてもよい。
【発明の効果】
【００２８】
本発明に係るプラズマディスプレイパネルによれば、背面基板と前面基板の間に中間基板を備えて、この中間基板にアドレス電極を形成し、前面基板に維持電極と走査電極を形成して、前面基板と中間基板との間に真空を形成または液体を充填することにより、走査電極とアドレス電極の間の距離を短縮してアドレス放電電圧を低くすることができ、また、電極の間で、真空または流体による誘電率低下によって電極間の静電容量を低くするので、消費電力を低減させる効果がある。
【発明を実施するための最良の形態】
【００２９】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３０】
（第１の実施形態）
図１は、本発明の第１の実施形態に係るプラズマディスプレイパネルを概略的に分解して示した斜視図である。また、図２は、図１において、隔壁と電極の配置関係を示した平面図であり、図３は、図１のＩＩＩ−ＩＩＩ線に沿って切断した断面図である。
【００３１】
図１〜３を参照すると、第１の実施形態に係るプラズマディスプレイパネルは、所定の間隔をおいて対向するように配置されて封着される第１基板１０（以下、「背面基板」とする。）と第２基板２０（以下、「前面基板」とする。）を含む。
【００３２】
背面基板１０と前面基板２０との間には、第３基板４０（以下、「中間基板」とする。）が配置され、背面基板１０と中間基板４０の間には隔壁１６が備えられる。また、中間基板４０と前面基板２０の間にはスペーサ２６が備えられる。
【００３３】
隔壁１６は、背面基板１０と中間基板４０の間で所定の高さで形成されて、複数の放電セル１７を区画する。放電セル１７それぞれには、気体放電によって真空紫外線を発生させることができるように、放電ガス（一例として、ネオン（Ｎｅ）とキセノン（Ｘｅ）等を含む混合ガス）が充填されており、また、放電セル１７それぞれは、上記真空紫外線を吸収して可視光を放出する蛍光体層１９を備えている。
【００３４】
このプラズマディスプレイパネルは、気体放電によって画像を実現するために、各放電セル１７に対応するアドレス電極１１、第１電極３１（以下、「維持電極」とする。）、および第２電極３２（以下、「走査電極」とする。）を備える。
【００３５】
アドレス電極１１は、中間基板４０に第１方向（図１〜３におけるｙ軸方向、以下、「ｙ」と表記する。）に沿って伸長形成されて、第１方向（ｙ）に隣接する放電セル１７に連続的に対応する。また、複数のアドレス電極１１は、第１方向（ｙ）と交差する第２方向（図１〜３におけるｘ軸方向、以下、「ｘ」と表記する。）に沿って隣接する放電セル１７に対応するように、互いに並んで配置される。
【００３６】
このアドレス電極１１は、伸長部１１ａと突出部１１ｂを含む。伸長部１１ａは、第２方向（ｘ）に隣接する放電セル１７の境界位置に対応して、第１方向（ｙ）に伸長形成される。ここで、伸長部１１ａは、放電セル１７の非発光領域に配置されて、可視光が前方（ここで、「前方」とは、図１〜３におけるｚ軸の正の方向をいう。）に放射されることを妨害しないので、通電性に優れた金属、例えば、アルミニウム（Ａｌ）で形成される。突出部１１ｂは、伸長部１１ａで第２方向（ｘ）に沿って放電セル１７の中心に突き出されて、放電セル１７の中心に形成される。ここで、突出部１１ｂは、放電セル１７の発光領域に配置されるので、可視光の遮断を最小化するように透明電極、例えば、ＩＴＯ（Indium  Tin  Oxide；インジウムスズ酸化物）で形成される。
【００３７】
アドレス電極１１は、上記のように中間基板４０の一表面、例えば、背面基板１０と対向する表面に形成されて誘電体層１３で覆われる。誘電体層１３は、放電時、陽イオンまたは電子がアドレス電極１１に直接衝突するのを防止して、アドレス電極１１の損傷を防止し、また、壁電荷を形成して壁電荷を蓄積する。
【００３８】
また、誘電体層１３は保護膜１４で覆われる。保護膜１４は、例えば、透明なＭｇＯで形成され、可視光を透過させ、放電から誘電体層１３を保護し、さらに、放電時に二次電子放出係数を増加させて、放電開始電圧を低くすることができる。
【００３９】
一方、中間基板４０は、放電セル１７から放射される可視光の前方照射のために、前面基板２０と同様に透明なガラスで形成される。
【００４０】
隔壁１６は、上記に示すようなアドレス電極１１を備えた中間基板４０と背面基板１０との間に備えられ、その一例として、第１方向（ｙ）に伸長形成される複数の第１隔壁部材１６ａと、第２方向（ｘ）に伸長形成される複数の第２隔壁部材１６ｂとで形成される。第２隔壁部材１６ｂそれぞれは、互いに隣接する第１隔壁部材１６ａの間で、第１隔壁部材１６ａと交差する第２方向（ｘ）に形成される。
【００４１】
上記のように、複数の第１隔壁部材１６ａと複数の第２隔壁部材１６ｂとが、背面基板１０と中間基板４０の間で互いに交差するように形成されることにより、一組の第１隔壁部材１６ａおよび第２隔壁部材１６ｂと、上記一組の第１隔壁部材１６ａおよび第２隔壁部材１６ｂに隣接する他の一組の第１隔壁部材１６ａおよび第２隔壁部材１６ｂとは、閉鎖型隔壁構造を形成する。
【００４２】
上記閉鎖型隔壁構造は、放電セル１７間のクロストーク（crosstalk）を効果的に防止することができる。
【００４３】
なお、図１では、上記閉鎖型隔壁構造が直六面体として示されているが、上記閉鎖型隔壁構造は上記に限られず、例えば、上記閉鎖型隔壁構造を六角柱または八角柱などの形状としてもよい。
【００４４】
蛍光体層１９は、隔壁１６の側面と、隔壁１６で囲まれた背面基板１０の表面とに形成される。つまり、蛍光体層１９は、第１隔壁部材１６ａの側面、第２隔壁部材１６ｂの側面、および第１隔壁部材１６ａと第２隔壁部材１６ｂとで囲まれた背面基板１０の表面に形成される。
【００４５】
一方、維持電極３１と走査電極３２は、放電セル１７内で気体放電を起こすように、放電セル１７に対応する前面基板２０の内の表面に備えられて、互いに面放電構造を形成する。維持電極３１と走査電極３２は、アドレス電極１１と交差する第２方向（ｘ）に沿って形成され、透明電極３１ａ、３２ａとバス電極３１ｂ、３２ｂとで形成される。
【００４６】
透明電極３１ａ、３２ａは、放電セル１７内部で面放電を起こす部分であって、放電セル１７の開口率確保のために透明な素材、例えば、ＩＴＯ（インジウムスズ酸化物）で形成される。バス電極３１ｂ、３２ｂは、透明電極３１ａ、３１ａの高い電気的抵抗を補償して通電性を確保するために、導電性に優れた金属で形成される。
【００４７】
透明電極３１ａ、３２ａは放電セル１７の中心に各々突出形成されて、互いに面放電構造を形成する。バス電極３１ｂ、３２ｂは、透明電極３１ａ、３２ｂに電圧を印加するように、透明電極３１ａ、３２ｂ上で第２方向（ｘ）に伸長形成される。
【００４８】
また、透明電極は、バス電極と同様に、第２方向（ｘ）に伸長形成されることもできる（図示せず）。上記の場合、アドレス電極１１、維持電極３１、および走査電極３２の配置は、第１の実施形態と同様に、アドレス電極１１を背面基板１０に対向する中間基板４０に形成し、維持電極３１と走査電極３２を前面基板２０に形成している。なお、アドレス電極と維持電極および走査電極の配置は上記に限定されず、例えば、維持電極と走査電極を、背面基板に対向する中間基板に形成し、アドレス電極を前面基板に形成するなど、互いに異なる位置に形成することもできる。
【００４９】
スペーサ２６は、中間基板４０と前面基板２０の間に介されて、中間基板４０と前面基板２０の間に所定の間隔（ＣＣ）を形成する（図３参照）。スペーサ２６は、例えば、ガラスビード（glass  bead）で形成されて、第１方向（ｙ）に隣接する放電セル１７の境界位置に対応して、第２方向（ｘ）に沿って配置される（図２参照）。
【００５０】
つまり、スペーサ２６は、維持電極３１のバス電極３１ｂと走査電極３２のバス電極３２ｂとの間に配置されて、上記バス電極３１ｂ、３２ｂと並んだ状態を維持する。したがって、スペーサ２６は、隔壁１６が第２隔壁部材１６ｂを備えた場合、非放電領域である第２隔壁部材１６ｂに対応する位置に配置される。
【００５１】
一方、スペーサ２６は、中間基板４０の一面をエッチングして形成されることもできる。この場合、スペーサ２６は中間基板４０と同一な材質となる。
【００５２】
また、このスペーサ２６によって、前面基板２０と中間基板４０の間に形成される空間は真空状態になるように形成される。したがって、維持電極３１と走査電極３２は、誘電率（ε）が１である真空の絶縁層で覆われる。前面基板２０と中間基板４０の間の空間は、中間基板４０と背面基板１０の間に形成される放電セル１７の内部と同一な真空圧を有するのが好ましい。
【００５３】
例えば、維持電極３１と走査電極３２との間に形成される放電ギャップが１００〜２００μｍであり、この時の放電開始電圧は３００〜６００Ｖである場合、空気の絶縁破壊電圧は３×１０１２（Ｖ/μｍ）であるので、前面基板２０と中間基板４０の間の空間で放電は起こらず、中間基板４０と背面基板１０の間の放電セル１７で放電が先に起こる。
【００５４】
また、スペーサ２６により形成される前面基板２０と中間基板４０との間の間隔（ＣＣ）は、アドレス電極１１と走査電極３２との距離を短くして、低電圧によるアドレス放電を可能にする。
【００５５】
また、このスペーサ２６により、維持電極３１および走査電極３２とアドレス電極１１との間で形成される真空は誘電率（ε）が１であって、他の誘電体に比べて低い誘電率（ε）を有するので、別途の誘電体層を備える場合に比べて、電極の間での消費電力を低減させる。
【００５６】
上述のように構成されたプラズマディスプレイパネルにおいて、リセット期間では、走査電極３２に印加されるリセットパルスによってリセット放電が起こり、また、上記リセット期間に繋がるアドレシング期間では、走査電極３２に印加されるスキャンパルスとアドレス電極１１に印加されるアドレスパルスとによりアドレス放電が起こり、その後、維持期間では、維持電極３１と走査電極３２に印加される維持パルスによって維持放電が起こる。
【００５７】
維持電極３１と走査電極３２は、維持放電に必要な維持パルスを印加する電極の役割を果たす。ここで、走査電極３２は、リセットパルスおよびスキャンパルスを印加する電極の役割を果たし、アドレス電極１１は、アドレスパルスを印加する電極の役割を果たす。なお、電極３１、３２、１１は、各々に印加される電圧波形によってその役割を別にすることができるので、必ずしもこの役割に限定されるわけではない。
【００５８】
本発明の第１の実施形態に係るプラズマディスプレイパネルは、アドレス電極１１と走査電極３２との相互作用によるアドレス放電によって、点灯される放電セル１７を選択し、維持電極３１と走査電極３２との相互作用による維持放電によって、上記選択した放電セル１７を駆動させて画像を実現する。
【００５９】
（第２の実施形態）
図４は、本発明の第２の実施形態に係るプラズマディスプレイパネルの断面図である。
第２の実施形態に係るプラズマディスプレイパネルと第１の実施形態に係るプラズマディスプレイパネルとを比較すると、全体的な構成および作用効果は類似しているので、このような部分に対する詳細説明を省略し、ここでは、第１の実施形態と比較して互いに異なる構成についてのみ説明する。
【００６０】
第１の実施形態は、前面基板２０と中間基板４０の間の空間を真空状態になるように形成したが、第２の実施形態は、前面基板２０と中間基板４０との間の空間を流体４２で充填している。この流体４２は、維持電極３１と走査電極３２を電気的に絶縁させる。
【００６１】
流体４２は、前面基板２０と中間基板４０との間の空間を真空状態とすることもできるが、既存の固体誘電体層と異なる流体誘電体層でも形成できるということを例示する。つまり、電離電圧の高い不活性ガスが充填されることができ、例えば、キセノン（Ｘｅ）が含まれているガスが充填されることができる。この時、ガス中のキセノン（Ｘｅ）分圧は、放電空間内に注入される放電ガスとは分圧が異なる。
【００６２】
また流体４２として液状の物質が充填されることもでき、このような液状の物質としては、絶縁内圧が高い材料を用いることができる。ここで、流体４２としては、例えば、蓄電器（capacitor）や変圧器（transformer）などで使用される一般的な絶縁オイルを用いることができる。また、流体４２としては、絶縁内圧が高く、誘電率が低く、かつ透明な性質を有するシリコンオイルを用いてもよい。シリコンオイルとしては、例えば、以下の構造式で示されるジメチルシリコンオイルなどが挙げられる。
【００６３】
【化１】
2007134326.tif 000003
【００６４】
（第３の実施形態）
図５は、本発明の第３の実施形態に係るプラズマディスプレイパネルの平面図である。
【００６５】
第３の実施形態に係るプラズマディスプレイパネルと第１の実施形態に係るプラズマディスプレイパネルとを比較すると、第１の実施形態に係るプラズマディスプレイパネルは、第１隔壁部材１６ａと第２隔壁部材１６ｂを含む隔壁１６を例示し（図２参照）、第３の実施形態に係るプラズマディスプレイパネルは、第１隔壁部材１６ａ（なお、図５では符号１６が付されているが、説明の便宜上、第１隔壁部材１６ａとして説明する。）のみで形成される隔壁を例示する。
【００６６】
図５に示すように、第１隔壁部材１６ａが背面基板１０と中間基板４０の間で第１方向（ｙ）に各々伸長し、第２方向（ｘ）に互いに並んで配置されることにより、第１隔壁部材１６は開放型隔壁構造を形成する。
【００６７】
また、第３の実施形態に係るプラズマディスプレイパネルは、前面基板２０に、維持電極３１と走査電極３２を備え、中間基板４０にアドレス電極１１を備えるので、中間基板４０と背面基板１０との間に備えられる隔壁を多様に実現できるということを例示する実施形態である。
【００６８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６９】
【図１】本発明の第１の実施形態に係るプラズマディスプレイパネルを概略的に分解して示した斜視図である。
【図２】図１において、隔壁と電極の配置関係を示した平面図である。
【図３】図１のＩＩＩ−ＩＩＩ線に沿って切断した断面図である。
【図４】本発明の第２の実施形態に係るプラズマディスプレイパネルの断面図である。
【図５】本発明の第３の実施形態に係るプラズマディスプレイパネルの平面図である。
【符号の説明】
【００７０】
１０    背面基板
１１    アドレス電極
１１ａ  伸長部
１１ｂ  突出部
１３    誘電体層
１４    保護膜
１６    隔壁
１６ａ  第１隔壁部材
１６ｂ  第２隔壁部材
１７    放電セル
１９    蛍光体層
２０    前面基板
３１    維持電極
３１ａ、３２ａ  透明電極
３１ｂ、３２ｂ  バス電極
３２    走査電極
２６    スペーサ
４０    中間基板
４２    流体
【図１】
2007134326.tif 000004
【図２】
2007134326.tif 000005
【図３】
2007134326.tif 000006
【図４】
2007134326.tif 000007
【図５】
2007134326.tif 000008